(57)【要約】【課題】  従来の重力と浮力によるピストン運動の発電動力装置は、水などの補給を続けなければ動かす事ができないこと、使用できる物質がかなり限定されてしまうこと、本体面積が広いこと、動いている物に搭載出来なかったこと、の問題があった。【解決手段】重質液体及び気体と軽質液体及び気体を循環して、重質液体及び気体と軽質液体及び気体の接している所を無くして、排出と吸引箇所を一体化して、コンパクトにする事により、これらの問題を解決することができる。【選択図】図１
2016020681.tif 000002
【特許請求の範囲】
【請求項１】
本体内移動容器内に本体内移動容器軽質液体及び気体取り入れ筒と本体内部移動容器内重質液体及び気体排出筒を一体化して設置したことにより、コンパクト化したこと、
本体内移動容器内に高収縮仕掛け袋を設置したことにより、重質液体及び気体と軽質液体及び気体が直接触れる箇所が無くなり、重質液体及び気体と軽質液体及び気体の組み合わせパターンが格段に増えたこと、
本体内移動容器内に高収縮仕掛け袋を設置したことにより、重質液体及び気体が本体から排出時に発生する強い力をため込み、軽質液体及び気体が本体から排出時にため込んだ力が解放されて、重質液体及び気体と軽質液体及び気体の循環する動力源となること、
本体、本体内部移動容器、重質液体及び気体待機室出口穴、重質液体及び気体待機室出口穴弁、重質液体及び気体待機室排出穴弁ストッパー、重質液体及び気体待機室、重質液体及び気体待機室逆流防止弁、重質液体及び気体待機室入口穴、重質液体及び気体待機室〜重質液体及び気体専用高収縮仕掛け袋間バイパス筒、重質液体及び気体待機室〜重質液体及び気体専用高収縮仕掛け袋間バイパス筒入口、重質液体及び気体専用高収縮仕掛け袋、重質液体及び気体専用高収縮仕掛け袋入口穴弁、重質液体及び気体専用高収縮仕掛け袋入口穴、本体内部移動容器内重質液体及び気体排出筒出口穴、本体内部移動容器内重質液体及び気体排出筒、本体内部移動容器内重質液体及び気体排出筒入口穴、の順を重質液体及び気体が回流、そしてこれらが連動（以後重質連動群とする）、
そして本体内部移動容器内高収縮仕掛け袋、本体内部移動容器内軽質液体及び気体排出穴、本体内部移動容器内軽質液体及び気体排出穴弁、軽質液体及び気体待機室行きバイパス筒入口穴、本体内部移動容器軽質液体及び気体取り入れ筒出口穴逆流防止弁兼軽質液体及び気体出口穴弁突き上げ棒接続板、軽質液体及び気体待機室行きバイパス筒出口穴弁棒、軽質液体及び気体待機室行きバイパス筒、軽質液体及び気体待機室行きバイパス筒出口穴、軽質液体及び気体待機室行きバイパス筒出口穴弁、軽質液体及び気体待機室行きバイパス筒出口穴弁バネ、軽質液体及び気体待機室行きバイパス筒出口穴弁バネストッパー、軽質液体及び気体待機室〜軽質液体及び気体専用低収縮仕掛け袋間バイパス筒出口穴、軽質液体及び気体待機室〜軽質液体及び気体専用低収縮仕掛け袋間バイパス筒、軽質液体及び気体専用低収縮仕掛け袋出口穴、軽質液体及び気体専用低収縮仕掛け袋受け室、軽質液体及び気体専用低収縮仕掛け袋、軽質液体及び気体専用低収縮仕掛け袋入口穴逆流防止弁、軽質液体及び気体専用低収縮仕掛け袋入口穴、本体内部移動容器軽質液体及び気体取り入れ入口穴、本体内部移動容器軽質液体及び気体取り入れ筒、本体内部移動容器軽質液体及び気体取り入れ筒出口穴、本体内部移動容器軽質液体及び気体取り入れ筒出口穴逆流防止弁兼軽質液体及び気体出口穴弁突き上げ棒接続板、の順を軽質液体及び気体が回流、そしてこれらも連動（以後軽質連動群とする）、
この重質連動群と軽質連動群が本体内部移動容器内高収縮仕掛け袋の外側と内側で別れて接していることにより、収縮時に正反対の動きをする、これが重質液体及び気体と軽質液体及び気体の循環の流れを作り出す、
重質連動群の重質液体及び気体専用高収縮仕掛け袋と軽質連動群の軽質液体及び気体専用低収縮仕掛け袋が収縮することにより、各待機室の許容量オーバー分を蓄積できる、
重質連動群の重質液体及び気体専用高収縮仕掛け袋と軽質連動群の軽質液体及び気体専用低収縮仕掛け袋が収縮することにより、循環動力の補助力となる、
これらすべての方法。
【請求項２】
本体内移動容器内に本体内移動容器軽質液体及び気体取り入れ筒と本体内部移動容器内重質液体及び気体排出筒を一体化して設置したことにより、コンパクト化したこと、
本体内移動容器内に高収縮仕掛け袋を設置したことにより、重質液体及び気体と軽質液体及び気体が直接触れる箇所が無くなり、重質液体及び気体と軽質液体及び気体の組み合わせパターンが格段に増えたこと、
本体内移動容器内に高収縮仕掛け袋を設置したことにより、重質液体及び気体が本体から排出時に発生する強い力をため込み、軽質液体及び気体が本体から排出時にため込んだ力が解放されて、重質液体及び気体と軽質液体及び気体の循環する動力源となること、
本体、本体内部移動容器、重質液体及び気体待機室出口穴、重質液体及び気体待機室出口穴弁、重質液体及び気体待機室排出穴弁ストッパー、重質液体及び気体待機室、重質液体及び気体待機室逆流防止弁、重質液体及び気体待機室入口穴、重質液体及び気体待機室〜重質液体及び気体専用高収縮仕掛け袋間バイパス筒、重質液体及び気体待機室〜重質液体及び気体専用高収縮仕掛け袋間バイパス筒入口、重質液体及び気体専用高収縮仕掛け袋、重質液体及び気体専用高収縮仕掛け袋入口穴弁、重質液体及び気体専用高収縮仕掛け袋入口穴、本体内部移動容器内重質液体及び気体排出筒出口穴、本体内部移動容器内重質液体及び気体排出筒、本体内部移動容器内重質液体及び気体排出筒入口穴、の順を重質液体及び気体が回流、そしてこれらが連動（以後重質連動群とする）、
そして本体内部移動容器内高収縮仕掛け袋、本体内部移動容器内軽質液体及び気体排出穴、本体内部移動容器内軽質液体及び気体排出穴弁、軽質液体及び気体待機室行きバイパス筒入口穴、本体内部移動容器軽質液体及び気体取り入れ筒出口穴逆流防止弁兼軽質液体及び気体出口穴弁突き上げ棒接続板、軽質液体及び気体待機室行きバイパス筒出口穴弁棒、軽質液体及び気体待機室行きバイパス筒、軽質液体及び気体待機室行きバイパス筒出口穴、軽質液体及び気体待機室行きバイパス筒出口穴弁、軽質液体及び気体待機室行きバイパス筒出口穴弁バネ、軽質液体及び気体待機室行きバイパス筒出口穴弁バネストッパー、軽質液体及び気体待機室〜軽質液体及び気体専用低収縮仕掛け袋間バイパス筒出口穴、軽質液体及び気体待機室〜軽質液体及び気体専用低収縮仕掛け袋間バイパス筒、軽質液体及び気体専用低収縮仕掛け袋出口穴、軽質液体及び気体専用低収縮仕掛け袋受け室、軽質液体及び気体専用低収縮仕掛け袋、軽質液体及び気体専用低収縮仕掛け袋入口穴逆流防止弁、軽質液体及び気体専用低収縮仕掛け袋入口穴、本体内部移動容器軽質液体及び気体取り入れ入口穴、本体内部移動容器軽質液体及び気体取り入れ筒、本体内部移動容器軽質液体及び気体取り入れ筒出口穴、本体内部移動容器軽質液体及び気体取り入れ筒出口穴逆流防止弁兼軽質液体及び気体出口穴弁突き上げ棒接続板、の順を軽質液体及び気体が回流、そしてこれらも連動（以後軽質連動群とする）、
この重質連動群と軽質連動群が本体内部移動容器内高収縮仕掛け袋の外側と内側で別れて接していることにより、収縮時に正反対の動きをする、これが重質液体及び気体と軽質液体及び気体の循環の流れを作り出す、
重質連動群の重質液体及び気体専用高収縮仕掛け袋と軽質連動群の軽質液体及び気体専用低収縮仕掛け袋が収縮することにより、各待機室の許容量オーバー分を蓄積できる、
重質連動群の重質液体及び気体専用高収縮仕掛け袋と軽質連動群の軽質液体及び気体専用低収縮仕掛け袋が収縮することにより、循環動力の補助力となる、
これらすべての機関。
【発明の詳細な説明】
【技術分野】
【０００１】  本発明は、排出と吸引一体型、重力と浮力によるピストン運動の液体及び気体循環式発電動力に関する。【０００２】  従来の発電動力は重力と浮力によるピストン運動の発電動力装置がある。【０００３】  以下、従来の発電動力について説明する。【０００４】  従来の重力と浮力によるピストン運動と発電動力装置は
地面などに設置して水などの補給を続けなければ動かす事ができないこと、
排出と吸引箇所が別に設置されている為、本体面積が広いこと、
重質液体及び気体と軽質液体及び気体が直接触れる箇所がある為、物質によっては混ざり合ってしまい、使用できる物質がかなり限定されてしまうこと、【０００５】  本発明は、このような問題点を解決した、
本体面積をコンパクト化出来て、
重質液体及び気体と軽質液体及び気体が循環出来て、
動いている物に設置出来て、
どの重質な液体及び気体と軽質な液体及び気体でも使用出来る、
動力発電を実現することを目的とするものである。
【課題を解決するための手段】
【０００６】  そして、本発明は上記の目的を達成するために、
排出と吸引箇所を一体化して、本体内部移動容器内に設置すること、
重質液体及び気体と軽質液体及び気体が循環する為、重質連動群と軽質連動群を設置すること、
本体内部移動容器内に高収縮仕掛け袋を設置して重質液体及び気体と軽質液体及び気体が直接触れる箇所を無くす、
これらのことにより発電の動力とする。
【発明の効果】
【０００７】  上述したように本発明の発電動力装置は、自動車、飛行機、船、潜水艦など、移動している物に設置出来て、安定した発電動力を提供できます。
【発明の実施するための最良の形態】
【０００８】  以下、本発明の実施形態を図１に基づいて説明する。
【０００９】  図において、１は本体で完全密閉されていて重質液体及び気体が随時満たされていなければならない。２３と２７が開いている時、１３と４０は本体内バランスが崩れてしまう為、閉じていなければならない、逆に１３と４０が開いている時も２３と２７閉じていなければならない。
【００１０】  ６は本体内部移動容器で最も重要な心臓部にあたる箇所である。
６が浮力で最上昇した際、２６の本体内の付根に、６が到達した時に２２の穴が開いて、浮力が失われ下降して２６の本体内の付根から６が離れた時に２２の穴が閉じる仕組みが必要、これがないと、重質液体及び気体が２２の穴から２６に侵入してしまい、軽質液体及び気体と混じり合い、動力が失われてしまう。
【００１１】  ２１は本体内部移動容器内軽質液体及び気体排出穴弁で、２６が入ってきた時に開き、３６本体内部移動容器内高収縮仕掛け袋内の軽質液体及び気体が２６へ排出されて、３６がしぼんだ時、２１が圧迫されてしまい２６が出ていく時、閉まらなくなってしまうので、２１の周りに圧迫されない仕組みが必要、なお１８も同様。
【００１２】  １８は本体内部移動容器軽質液体及び気体取り入れ筒出口穴逆流防止弁兼軽質液体及び気体出口穴弁突き上げ棒接続板で、２５を突き上げる為、強い負荷がかかるので、丈夫でなければならない、また逆流防止弁も担っているので、ずれたり曲がったりしない設計であること。
【００１３】  ３６は本体内部移動容器内高収縮仕掛け袋で、収縮する力が長く安定することが望ましい、これが安定しなくなりしぼむ力が弱くなると、重質液体及び気体の循環に影響がでる。
【００１４】  ６は１の最上層部で３６内の軽質液体及び気体が抜けきってから２６を離脱できる仕掛けが必要で、１の最下部でも軽質液体及び気体が３６内に入りきってから１３，４０を離脱できる仕掛けが必要。
【００１５】  ６内の１７は３６内に設置する、３７は３６の外、６内の最下部に設置する、３７に対して１７は上に離れていればいるほど軽質液体及び気体を３６内に吸い込む力が強くなるので、より３６を高い収縮率にすることができる。
【００１６】  ３６が高い収縮率になれば重質液体及び気体と軽質液体及び気体の循環速度が上がり、より大きい３６にすることができる。
【００１７】  ３６が大きくなれば浮力も上がり、１６に仕込む重りをより重くすることができる、これで、より強い発電動力となる。
【００１８】  １３は軽質液体及び気体専用低収縮仕掛け袋入口穴弁で、４１  重質液体及び気体専用高収縮仕掛け袋入口穴弁、双方とも１５と３８が入ってきた時開き、出ていった時閉じるが、１３は１５が出て行く時、４１は３８が入ってきた時、９と４２がしぼんでいる為１３と４１が動かなくなってしまう為、周辺がしぼまない様に、防護壁などの仕掛けが必要。
【００１９】  ４２は重質液体及び気体専用高収縮仕掛け袋で、３９から出てきた重質液体及び気体の使用している質に合わせて収縮率を変える、そして収縮率は使用している重質液体及び気体の重さで膨らむ程度が良い、８を通して２へ吸い上げられる時、これが循環の補助動力となる。
【００２０】  ９は軽質液体及び気体専用低収縮仕掛け袋で、３で容量オーバー分の軽質液体及び気体を貯蔵する、３６に吸い上げられる待機分となる、軽質液体及び気体の循環は、動物の体内にある血液循環の静脈にあたるので、収縮の無いビニール状の物でも良い。
【図面の簡単な説明】
【００２２】
【図１】本発明の実施形態を示す発明動力装置の全部
【符号の説明】
【００２３】１  本体、２  重質液体及び気体待機室、３  軽質液体及び気体待機室、４  軽質液体及び気体専用低収縮仕掛け袋受け室、５  重質液体及び気体専用低収縮仕掛け袋受け室、６  本体内部移動容器、７  軽質液体及び気体待機室〜軽質液体及び気体専用低収縮仕掛け袋間バイパス筒、８  重質液体及び気体待機室〜重質液体及び気体専用高収縮仕掛け袋間バイパス筒、９  軽質液体及び気体専用低収縮仕掛け袋、１０  軽質液体及び気体専用低収縮仕掛け袋受け室、１１  軽質液体及び気体専用低収縮仕掛け袋出口穴、１２  軽質液体及び気体専用低収縮仕掛け袋入口穴、１３  軽質液体及び気体専用低収縮仕掛け袋入口穴弁、１４  本体内部移動容器軽質液体及び気体取り入れ入口穴、１５  本体内部移動容器軽質液体及び気体取り入れ筒、１６  本体内部移動容器下部重質液体及び気体出入り穴付き重り仕込み、１７  本体内部移動容器軽質液体及び気体取り入れ筒出口穴、１８  本体内部移動容器軽質液体及び気体取り入れ筒出口穴逆流防止弁兼軽質液体及び気体出口穴弁突き上げ棒接続板、１９  重質液体及び気体出口穴弁突き上げ棒、２０  本体内部移動容器内軽質液体及び気体排出穴、２１  本体内部移動容器内軽質液体及び気体排出穴弁、２２  軽質液体及び気体待機室行きバイパス筒入口穴、２３  重質液体及び気体待機室出口穴、２４  重質液体及び気体待機室出口穴弁、２５  軽質液体及び気体待機室行きバイパス筒出口穴弁棒、２６  軽質液体及び気体待機室行きバイパス筒、２７  軽質液体及び気体待機室行きバイパス筒出口穴、２８  軽質液体及び気体待機室行きバイパス筒出口穴弁、２９  軽質液体及び気体待機室行きバイパス筒出口穴弁バネ、３０  軽質液体及び気体待機室行きバイパス筒出口穴弁バネストッパー、３１  軽質液体及び気体待機室〜軽質液体及び気体専用低収縮仕掛け袋間バイパス筒出口穴、３２  重質液体及び気体待機室逆流防止弁、３３  重質液体及び気体待機室入口穴、３４  重質液体及び気体待機室排出穴弁ストッパー、３５  重質液体及び気体待機室排出穴弁バネ、３６  本体内部移動容器内高収縮仕掛け袋、３７  本体内部移動容器内重質液体及び気体排出筒入口穴、３８  本体内部移動容器内重質液体及び気体排出筒、３９  本体内部移動容器内重質液体及び気体排出筒出口穴、４０  重質液体及び気体専用高収縮仕掛け袋入口穴、４１  重質液体及び気体専用高収縮仕掛け袋入口穴弁、４２  重質液体及び気体専用高収縮仕掛け袋、４３  重質液体及び気体待機室〜重質液体及び気体専用高収縮仕掛け袋間バイパス筒入口、
【図１】
2016020681.tif 000003